(57)【要約】【課題】バスルームあるいはシャワー室と、トイレルームと、を別部屋にしたユニットバスを提供する。【解決手段】床面１０の一方側に設けられた浴槽２と、床面１０の他方側に設けられた便器３と、浴槽２と便器３との間に配設されたサッシ４と、を備え、浴槽２が設けられた側をバスルームＢＲ、便器３が設けられた側をトイレルームＷＣ、とサッシ４により別部屋に仕切られる。【選択図】図１
0003149129.tif 000002
【実用新案登録請求の範囲】
【請求項１】
床面の一方側に設けられた浴槽と、
床面の他方側に設けられた便器と、
浴槽と便器との間に配設されたサッシと、を備え、
浴槽が設けられた側をバスルーム、便器が設けられた側をトイレルーム、とサッシにより別部屋に仕切られること
を特徴とするユニットバス。
【請求項２】
サッシは、便器側の浴槽縁上に設けられていることを特徴とする請求項１に記載のユニットバス。
【請求項３】
バスルームは、浴槽と洗い場に二分されることを特徴とする請求項１に記載のユニットバス。
【請求項４】
床面に立設され、かつ床面を第１の部屋と第２の部屋に二分するサッシを備え、
第１の部屋をトイレルームとし、第２の部屋をシャワールームとするとともに、
第１の部屋には便器が設けられていること
を特徴とするユニットバス。
【考案の詳細な説明】
【技術分野】
【０００１】
本考案は、バスルームあるいはシャワー室と、トイレルームと、が別部屋に仕切られたユニットバスに関する。
【背景技術】
【０００２】
近年、首都圏の空室は遂に３０万室を突破しており、このうち、ワンルームマンションが２／３を占めている。このワンルームマンションの大部分が、浴槽と便器とが同一室内に何ら間仕切りされることなく設置されているいわゆるユニットバスを採用している。このような浴槽と便器とが一体となったユニットバスは、トイレを使用するときに床が濡れていたり、湯気や湯船のお湯がはねてトイレットペーパーが濡れてしまうことがある。
【０００３】
また、プライベートスペースが確保されていないため、来客があった場合には、１人が湯船につかっていると他の者はトイレを使用することができない。一方、プライベートスペースを確保すべく、浴槽とトイレとの間にシャワーカーテンを設けることもあるが、入浴中にこのシャワーカーテンが肌に触れたりして不快である。
【０００４】
ユニットバスは、上記のような問題があるため、近年、若者に敬遠される傾向が強い。このため、インターネットなどによる空室検索においては、このユニットバスを採用しているワンルームマンションは、「バス・トイレ別」との条件でふるいにかけられてしまい、検索結果としてあがらず、その結果、空室が埋まらないという状況に陥ってしまう。
【０００５】
一方、バスルームあるいはシャワールームの他に、別途トイレルームを作るとなると、コストがかかるうえ、床面積も余計に要することとなる。
【考案の開示】
【考案が解決しようとする課題】
【０００６】
上記課題を解決するためにこの考案は、バスルームあるいはシャワー室と、トイレルームと、を床面積を増やさず、安価に別部屋にしたユニットバスを提供することにある。
【課題を解決するための手段】
【０００７】
上記目的を達成するため、本考案は、床面の一方側に設けられた浴槽と、床面の他方側に設けられた便器と、浴槽と便器との間に配設されたサッシと、を備え、浴槽が設けられた側をバスルーム、便器が設けられた側をトイレルーム、とサッシにより別部屋に仕切られることを特徴とする。
【０００８】
サッシは、便器側の浴槽縁上に設けられていてもよい。
【０００９】
バスルームは、浴槽と洗い場に二分されるようにしてもよい。
【００１０】
また、本考案は、床面に立設され、かつ床面を第１の部屋と第２の部屋に二分するサッシを備え、第１の部屋をトイレルームとし、第２の部屋をシャワールームとするとともに、第１の部屋には便器が設けられていることを特徴とする。
【考案の効果】
【００１１】
以上説明した通り、本考案によれば、サッシにより、床面の一方をシャワー室あるいはバスルームに、他方をトイレルームに二分したことにより、床面積を増やさすことなく、安価に、バスルームあるいはシャワールームと、トイレルームとが別部屋になったユニットバスを得ることができる。
【考案を実施するための最良の形態】
【００１２】
以下、本考案を実施するための最良の形態について、添付した図面を参照しながら説明する。
【００１３】
図１は、本考案の第１実施形態のユニットバスの上面断面図、図２は、図１に示すユニットバスをトイレ側から見た断面図、図３は、図１に示すユニットバスをドア側から見た断面図、図４は、本考案のユニットバスに使用されているサッシの部品の斜視図である。
【００１４】
＜第１実施形態＞
本考案の第１実施形態に係るユニットバス１Ａは、図１に示す通り、床面１０と、床面１０の外縁部に立設された側壁１１、１２、１３、１４からなる筐体であり、側壁１４が設けられた側には、ユニットバス１Ａに出入するためのドア１５が開閉可能に設けられている。
【００１５】
また、ユニットバス１Ａの床面１０の一方側には浴槽２が設けられ、床面１０の他方側には便器３が設けられている。浴槽２の便器３側の浴槽縁２１上には、サッシ４が配設されており、このサッシ４により、浴槽２が設けられた側をバスルームＢＲに、便器３が設けられた側をトイレルームＷＣに、それぞれ別部屋に仕切られている。
【００１６】
側壁１１には、配管用穴１１Ａ、１１Ａ´、１１Ｂ、１１Ｂ´、１１Ｃが穿設されており、配管用穴１１Ａ、１１Ａ´を介してカラン６Ａが、配管用穴１１Ｂ、１１Ｂ´を介してカラン６Ａが、それぞれ取り付けられている。側壁１１のカラン６Ａの上方には、シャワーヘッド８をホールドするシャワーヘッドホルダ８１が取り付けられており、カラン６Ｂの下方には洗面器５が設けられている。
【００１７】
また、側壁１１には配管用穴１１Ｃが穿設されている。この配管用穴１１Ｃには便器３に給水するためのパイプ３２の一端が取り付けられており、このパイプ３２の他端には水洗用タンク３１が接続されている。
【００１８】
側壁１３には、トイレットペーパーをセットするためのトイレットペーパーホルダが取り付けられている。
【００１９】
サッシ４は、図４に示す通り、縦枠体４Ａ−１、４Ａ−２と横枠体４Ａ−３、４Ａ−４とからなる外枠４Ａと、外枠４Ａにスライド可能に支持された板材４Ｂとからなる。本実施形態においては、図１に示す通り、サッシ４は浴槽２の便器３側の浴槽縁２１上に設けられるが、縦枠体４Ａ−１は側壁１１と補強部材４Ｃを介して、縦枠体４Ａ−２は側壁１１と補強部材４Ｃを介して、それぞれ接着剤などにより固定した後、所定箇所でネジ止め固定される。側壁１１、１２、１３、１４は、通常薄い化粧鋼板から製造されているため強度が弱い。そこで、本実施形態においては、浴槽２を設置する前に、この補強部材４Ｃを側壁１１、１４に取り付け設置強度を強くしている。
【００２０】
また、サッシ４は、その上部に上部化粧カバー４Ｄを接着し、横方向のぐらつきを補強している。（図示しない）ユニットバス１Ａの天井面には、換気扇と照明器具が取り付けられているとともに、サッシ４と天井面との間には間隙ＳＰが設けられている。このような構造にすることにより、１つの換気扇と１つの照明器具が、バスルームＢＲとトイレルームＷＣとで共用できる。なお、板材４Ｂの材質はガラス、樹脂材など種々のものが適用可能であり、また、透明でも半透明でもよい。補強部材４Ｃ、４Ｃは、壁面１１、１４に接着した後ネジ止め固定されており、この補強部材４Ｃ、４Ｃにサッシ４の外枠４Ａの縦枠体４Ａ−１、４Ａ−２はネジ止め固定される。
【００２１】
本実施形態においては、ユニットバス１Ａをサッシ４により、バスルームＢＲとトイレルームＷＣとに仕切っている。このように構成したことにより、バスルームあるいはシャワー室と、トイレルームと、を床面積を増やさず、安価に別部屋にすることができる。
【００２２】
＜第２実施形態＞
次に、本考案の第２実施形態のユニットバスについて図５及び図６を参照して説明する。なお、上記第１実施形態と同様の部分については同一の符号を付して説明を省略し、相違する部分についてのみ説明する。
【００２３】
図５は、本考案の第２実施形態のユニットバスの上面断面図、図６は、図５に示すユニットバスをトイレ側から見た断面図、図７は、図５に示すユニットバスをドア側から見た断面図である。
【００２４】
本実施形態に係るユニットバス１Ｂと、上記第１実施形態に係るユニットバス１Ａとの相違点は、サッシの構成と、サッシの設置する場所のみである。すなわち、サッシ４´は浴槽２の浴槽縁２１上に配設されているのではなく、床面１０上に立設されている点が相違点である。その他は、サッシの大きさが上記第１実施形態におけるサッシ４より大きいくらいであり、その他の点においては、上記と同様である。
【００２５】
＜第３実施形態＞
次に、本考案の第３実施形態のユニットバスについて図８を参照して説明する。なお、上記第２実施形態と同様の部分については同一の符号を付して説明を省略し、相違する部分についてのみ説明する。
【００２６】
図８は、本考案の第３実施形態のユニットバスの上面断面図である。本実施形態に係るユニットバス１Ｃと、上記第２実施形態に係るユニットバス１Ｂとの相違点は、バスルームＢＲの構成が相違する点である。具体的には、浴槽を上記第２実施形態における浴槽２より小さな浴槽２Ａとし、この浴槽２Ａを図７に示すように横置きする。すると、バスルームＢＲ側において、浴槽２Ａが置いていないスペースができ、この部分を洗い場９とする構成である。その他の点については、上記第２実施形態と同様である。
【００２７】
＜第４実施形態＞
次に、本考案の第４実施形態のユニットバスについて図９を参照して説明する。なお、上記第２実施形態と同様の部分については同一の符号を付して説明を省略し、相違する部分についてのみ説明する。
【００２８】
図９は、本考案の第４実施形態のユニットバスの上面断面図である。本実施形態に係るユニットバス１Ｄと、上記第２実施形態に係るユニットバス１Ｂとの相違点は、バスルームＢＲではなくシャワールームＳＲを形成している点である。すなわち、図５と図９を対比すれば分かる通り、本実施形態においては、図９中左側には浴槽を設けず、シャワールームＳＲとした構成である。その他の点については上記第２実施形態と同様である。
【００２９】
次いで、図１０を参照して本考案のユニットバスの設置工程について説明する。図１０は、本考案のユニットバスの設置工程を説明するための説明図であり、（ａ）は設置準備位置、（ｂ）は設置完了状態をそれぞれ示す。なお、以下に説明するユニットバスの設置工程は、上記第１〜４実施形態のいずれにおいても適用可能であるので、代表して第１実施形態に係るユニットバス１Ａを図示して説明する。
【００３０】
図１０は、例えば、新築のマンションに最初からユニットバス１Ａを設置する工程を示している。ユニットバス１Ａは、所定の位置に設置されると、マンションの壁面とユニットバスとの間の間隙は非常に狭く設定される。そして、図１０（ｂ）に示す通り、壁面Ｗと側壁１１の外側との間に（図示しない）給湯及び給水の配管が配設されるパイプスペースＰＳが形成される。
【００３１】
ユニットバス１Ａを所定の場所に設置した後において、給湯及び給水の配管を行なうと、作業がしづらいことから、新築の場合には、図１０に示すようにしてユニットバス１Ａは設置される。
【００３２】
すなわち、図１０（ａ）に示すように、まず、ユニットバス１Ａは、壁面Ｗから離れた位置の基礎梁ＢＳ上に載置される。この状態で、配管用穴１１Ａ、１１Ａ´、１１Ｂ、１１Ｂ´、１１Ｃのそれぞれに所定の配管を行なう。全ての配管用穴１１Ａ、１１Ａ´、１１Ｂ、１１Ｂ´、１１Ｃに配管を済ませたら、次に、ユニットバス１Ａを壁面Ｗに向って基礎梁ＢＳ上矢印方向に移動させる。
【００３３】
すると、狭いパイプスペースＰＳであっても容易に配管作業が行なえる。但し、この配管作業は一つの実施例であり、これに限定されるものではない。
【図面の簡単な説明】
【００３４】
【図１】本考案の第１実施形態のユニットバスの上面断面図。
【図２】図１に示すユニットバスをトイレ側から見た断面図。
【図３】図１に示すユニットバスをドア側から見た断面図。
【図４】本考案のユニットバスに使用されているサッシの部品の斜視図。
【図５】本考案の第２実施形態のユニットバスの上面断面図。
【図６】図５に示すユニットバスをトイレ側から見た断面図。
【図７】図５に示すユニットバスをドア側から見た断面図。
【図８】本考案の第３実施形態のユニットバスの上面断面図。
【図９】本考案の第４実施形態のユニットバスの上面断面図。
【図１０】本考案のユニットバスの設置工程を説明するための説明図。
【符号の説明】
【００３５】
１Ａ、１Ｂ、１Ｃ  ユニットバス
１０  床面
１１、１２、１３、１４  側壁
１１Ａ、１１Ａ´、１１Ｂ、１１Ｂ´、１１Ｃ  配管用穴
１５  ドア
２    浴槽
２１  浴槽縁
３    便器
３１  水洗用タンク
３２  パイプ
４    サッシ
４Ａ  外枠
４Ａ−１、４Ａ−２  縦枠体
４Ａ−３、４Ａ−４  横枠体
４Ｂ  板材
４Ｃ  補強部材
４Ｄ  上部化粧カバー
５    洗面器
６Ａ、６Ｂ  カラン
７    トイレットペーパーホルダ
８    シャワーヘッド
８１  シャワーヘッドホルダ
９    洗い場
ＢＳ  基礎梁
ＰＳ  パイプスペース
ＢＲ  バスルーム
ＷＣ  トイレルーム
【図１】
0003149129.tif 000003
【図２】
0003149129.tif 000004
【図３】
0003149129.tif 000005
【図４】
0003149129.tif 000006
【図５】
0003149129.tif 000007
【図６】
0003149129.tif 000008
【図７】
0003149129.tif 000009
【図８】
0003149129.tif 000010
【図９】
0003149129.tif 000011
【図１０】
0003149129.tif 000012